(57)【要約】【課題】  実用性とファッション性を兼ね備えたネクタイ兼用ペンシースを提供すること。【解決手段】  ネクタイ１０の大剣部１１にペン収納部２０を形成し、そのペン差し込み口２１を大剣部１１の正面に配置してなるネクタイ兼用ペンシース１００であって、前記ペン収納部２０がペン等の重みに対して大剣部１１を補強する補強材４０を備えてなるもの。【選択図】  図１
0003188797.tif 000002
【実用新案登録請求の範囲】
【請求項１】
ネクタイの大剣部にペン収納部を形成し、そのペン差し込み口を大剣部の正面に配置してなるネクタイ兼用ペンシースであって、
前記ペン収納部がペン等の重みに対して大剣部を補強する補強材を備えてなるネクタイ兼用ペンシース。
【請求項２】
前記大剣部の表地の外側に袋状又は筒状のペン収納部が形成されてなる請求項１に記載のネクタイ兼用ペンシース。
【請求項３】
前記大剣部の筒状に縫った表地の内側をペン収納部としてなる請求項１に記載のネクタイ兼用ペンシース。
【請求項４】
前記補強材が大径部の表地の外側に付加されてなる請求項１〜３のいずれかに記載のネクタイ兼用ペンシース。
【請求項５】
前記補強材が大径部の筒状に縫った表地の内側に付加されてなる請求項１〜３のいずれかに記載のネクタイ兼用ペンシース。
【請求項６】
前記大剣部の表地が木綿からなる請求項１〜５のいずれかに記載のネクタイ兼用ペンシース。
【考案の詳細な説明】
【技術分野】
【０００１】
本考案は、主に万年筆を中心としたデザイン性の高い筆記具（ペン等）を収納するに好適なネクタイ兼用ペンシースに関する。
【背景技術】
【０００２】
従来の万年筆等の筆記具を収納するペンシースは、ポケットの付いた上着を着用していないと、身に付けることができない。
【０００３】
他方、特許文献１に記載の如く、ネクタイの大剣部の正面に切り込みを入れて開口部を設け、開口部の内側に物を収納できる袋を取付けたものが提案されている。ネクタイを首に巻いた後、ペン、メモ用紙等の物をその開口部から袋に収納して身に付けることができる。
【先行技術文献】
【特許文献】
【０００４】
【特許文献１】特開2002-339127
【考案の概要】
【考案が解決しようとする課題】
【０００５】
特許文献１に記載のネクタイにおいて、袋に収納される物が非常に軽量の切符、鉛筆であれば不都合を生じないものの、相当な重さがある高価な万年筆等（例えば50〜100ｇ）を収納しようとすると、ネクタイの大剣部がその重みによってのび、たるみ等の変形を生じ、ファッション性を損ねるおそれがある。
【０００６】
本考案の課題は、実用性とファッション性を兼ね備えたネクタイ兼用ペンシースを提供することにある。
【課題を解決するための手段】
【０００７】
請求項１に係る考案は、ネクタイの大剣部にペン収納部を形成し、そのペン差し込み口を大剣部の正面に配置してなるネクタイ兼用ペンシースであって、前記ペン収納部がペン等の重みに対して大剣部を補強する補強材を備えてなるようにしたものである。
【０００８】
請求項２に係る考案は、請求項１に係る考案において更に、前記大剣部の表地の外側に袋状又は筒状のペン収納部が形成されてなるようにしたものである。
【０００９】
請求項３に係る考案は、請求項１に係る考案において更に、前記大剣部の筒状に縫った表地の内側をペン収納部としてなるようにしたものである。
【００１０】
請求項４に係る考案は、請求項１〜３のいずれかに係る考案において更に、前記補強材が大径部の表地の外側に付加されてなるようにしたものである。
【００１１】
請求項５に係る考案は、請求項１〜３のいずれかに係る考案において更に、前記補強材が大径部の筒状に縫った表地の内側に付加されてなるようにしたものである。
【００１２】
請求項６に係る考案は、請求項１〜５のいずれかに係る考案において更に、前記大剣部の表地が木綿からなるようにしたものである。
【考案の効果】
【００１３】
（請求項１）
(a)ネクタイ兼用ペンシースを構成するようにネクタイの大剣部に形成したペン収納部が、ペン等の重みに対して大剣部を補強する補強材を備えるものにした。従って、このネクタイ兼用ペンシースを首に巻き、ペン等、例えば万年筆をそのペン収納部に収納し、該万年筆のキャップに設けたクリップをペン差し込み口に係止する使用状態で、補強材の存在が該万年筆の重みによる大剣部ののび、たるみ等の変形を防止できる。これにより、万年筆を確実かつ安全に身に付けて持ち運ぶという実用性を向上できる。また、ネクタイのファッション性を損ねることがなく、万年筆のキャップやクリップ等がタイピンと同様のアクセサリーとして機能し、通常のネクタイよりも高いファッション性を提供できる。
【００１４】
（請求項２）
(b)前記大剣部の表地の外側に袋状又は筒状のペン収納部が形成される。これにより、大剣部の表地に切り込みを入れることなく、ペン収納部を形成できる。
【００１５】
（請求項３）
(c)前記大剣部の筒状に縫った表地の内側をペン収納部とする。これにより、大剣部の表地に切り込みを入れて簡易にペン収納部を形成できる。
【００１６】
（請求項４）
(d)前記補強材が大径部の表地の外側に付加される。これにより、この補強材と大剣部の表地との間隙を上述(b)のペン収納部とすることもできる。
【００１７】
（請求項５）
(e)前記補強材が大径部の筒状に縫った表地の内側に付加される。これにより、補強材をネクタイの内部に隠すことができる。
【００１８】
（請求項６）
(f)前記大剣部の表地が木綿からなるものとすることにより、ペン等の重みに対する大剣部の耐変形強度（耐のび強度等）を一層向上できる。
【図面の簡単な説明】
【００１９】
【図１】図１は実施例１のネクタイ兼用ペンシースを示し、（Ａ）は正面図、（Ｂ）は大剣部のＢ−Ｂ線に沿う断面図、（Ｃ）は補強材を取出して示す正面図である。
【図２】図２は実施例２のネクタイ兼用ペンシースを示し、（Ａ）は正面図、（Ｂ）は大剣部のＢ−Ｂ線に沿う断面図、（Ｃ）は補強材を取出して示す正面図である。
【図３】図３は実施例３のネクタイ兼用ペンシースを示し、（Ａ）は正面図、（Ｂ）は大剣部のＢ−Ｂ線に沿う断面図、（Ｃ）は補強材を取出して示す正面図である。
【考案を実施するための形態】
【００２０】
（実施例１）（図１）
図１は、使用者の首に巻かれたネクタイ兼用ペンシース１００を模式的に示したものである。ネクタイ兼用ペンシース１００を構成するネクタイ１０は、ネクタイの一般的構造を採用でき、表地と裏地と芯地の３種類の生地を用い、小剣部と中はぎ部と大剣部の３つのパーツからなる。
【００２１】
ネクタイ兼用ペンシース１００は、ネクタイ１０の大剣部１１にペン収納部２０を形成し、そのペン差し込み口２１を大剣部１１の正面に配置している。ネクタイ兼用ペンシース１００は、ネクタイ１０を首に巻き、ペン等の筆記具、主としてデザイン性の高い万年筆１の本体（軸胴部）２を大剣部１１のペン収納部２０に挿入して収納し、キャップ３のクリップ４をペン差し込み口２１の縁に係止して使用される。
【００２２】
本実施例において、ペン収納部２０は大剣部１１の表地の外側に縫い付けられた被覆材３０により形成される。即ち、被覆材３０は大剣部１１の表地の外側に有底袋状（又は筒状）のペン収納部２０を形成する。被覆材３０は、大剣部１１の正面の上端寄り中間部から下端側の一定長さ範囲（図１（Ｃ）の２点鎖線で示す如くに大剣部１１の正面の上端寄り中間部から下端剣先までの範囲でも可）に渡り、該大剣部１１の正面と概ね同一幅をなす布地からなり、その両側縁部及び下縁部（又は両側縁部のみ）に設けられる縁取り部３１が大剣部１１の表地に縫い付けられる。被覆材３０は、ペン収納部２０のペン差し込み口２１を形成する上縁部に玉縁３２を設け、この玉縁３２の両側端の一定長さ範囲も大剣部１１の表地に縫い付けられることが好ましい。
【００２３】
ネクタイ兼用ペンシース１００において、ネクタイ１０の大剣部１１に形成されたペン収納部２０は、万年筆１の重みに対して該大剣部１１を補強する補強材４０を備える。
【００２４】
本実施例において、補強材４０は、大剣部１１の表地の外側に重ね合わせて縫い付けられた前述の被覆材３０により構成される。
【００２５】
ここで、被覆材３０（補強材４０）を構成する布地は、大剣部１１の表地と同じ生地を用いても良い。補強材４０（被覆材３０）を構成する布地、及び／又は大剣部１１の表地として、木綿等の耐のび強度の高い生地を採用することが好ましい。
【００２６】
本実施例によれば以下の作用効果を奏する。
(a)ネクタイ兼用ペンシース１００を構成するようにネクタイ１０の大剣部１１に形成したペン収納部２０が、ペン等の重みに対して大剣部１１を補強する補強材４０を備えるものにした。従って、このネクタイ兼用ペンシース１００を首に巻き、ペン等、例えば万年筆１をそのペン収納部２０に収納し、該万年筆１のキャップ３に設けたクリップ４をペン差し込み口２１に係止する使用状態で、補強材４０の存在が該万年筆１の重みによる大剣部１１ののび、たるみ等の変形を防止できる。これにより、万年筆１を確実かつ安全に身に付けて持ち運ぶという実用性を向上できる。また、ネクタイ１０のファッション性を損ねることがなく、万年筆１のキャップ３やクリップ４等がタイピンと同様のアクセサリーとして機能し、通常のネクタイ１０よりも高いファッション性を提供できる。
【００２７】
(b)前記大剣部１１の表地の外側に袋状又は筒状のペン収納部２０が形成される。これにより、大剣部１１の表地に切り込みを入れることなく、ペン収納部２０を形成できる。
【００２８】
(c)前記補強材４０が大径部の表地の外側に付加される。これにより、この補強材４０と大剣部１１の表地との間隙を上述(b)のペン収納部２０とすることもできる。
【００２９】
(d)前記大剣部１１の表地が木綿からなるものとすることにより、万年筆１の重みに対する大剣部１１の耐変形強度（耐のび強度等）を一層向上できる。
【００３０】
（実施例２）（図２）
実施例２のネクタイ兼用ペンシース１００は、実施例１のネクタイ兼用ペンシース１００と同様に、被覆材３０により構成されるペン収納部２０を有する。
【００３１】
実施例２のネクタイ兼用ペンシース１００が、実施例１のネクタイ兼用ペンシース１００と異なる点は、補強材４０に代わる補強材５０を、大剣部１１の筒状に縫った表地の内側に重ね合わせて縫い込み、付加したことにある。
【００３２】
補強材５０は、大剣部１１の筒状に縫った表地の内側の上端寄り中間部から下端側の一定長さ範囲（図２（Ｃ）の２点鎖線で示す如くに上端寄り中間部から下端剣先までの範囲でも可）に渡り、該大剣部１１と概ね同一幅をなす布地からなり、その両側縁部等が縫付け部５１により大剣部１１の表地及び被覆材３０とともに縫い合わされる。
【００３３】
ここで、被覆材３０、補強材５０を構成する布地、及び／又は大剣部１１の表地として、木綿等の耐のび強度の高い生地を採用することが好ましい。
【００３４】
本実施例によれば、補強材５０をネクタイ１０の内部に隠すことができる。
【００３５】
（実施例３）（図３）
実施例３のネクタイ兼用ペンシース１００が、実施例１のネクタイ兼用ペンシース１００と異なる点は、以下の通りである。
【００３６】
まず、ペン収納部２０が大剣部１１の筒状に縫った表地の内側に形成される。即ち、大剣部１１の正面の表地の上端寄り中間部に切り込みを入れ、この切り込みをペン差し込み口２１とし、その切り込みにより切開された大剣部１１の筒状をなす表地の内側空間をペン収納部２０とする。ペン収納部２０は、筒状に限らず、有底袋状とするものできる。大剣部１１において、ペン収納部２０のペン差し込み口２１となる切り込みの上下両縁部に玉縁２２を設け、この玉縁２２の両側端の一定長さ範囲を大剣部１１の表地に縫い付けることが好ましい。
【００３７】
また、実施例１の補強材４０に代わる補強材６０が、大剣部１１の筒状に縫った表地の内側に重ね合わせて縫い込み、付加される。補強材６０は、例えば図３（Ｃ）に示す如くのＨ形状をなし、その両側縁部が縫付け部６１により大剣部１１の表地（正背両面のうちの正面側の表地）に縫い合わされ、その両側縁部をつなぐ架橋部も大剣部１１の表地（玉縁２２又は玉縁２２の直下部分）に縫い合わされる。
【００３８】
ここで、補強材６０を構成する布地、及び／又は大剣部１１の表地として、木綿等の耐のび強度の高い生地を採用することが好ましい。
【００３９】
本実施例によれば、大剣部１１の表地に切り込み（ペン差し込み口２１）を入れて簡易にペン収納部２０を形成できる。
【００４０】
また、補強材６０をネクタイ１０の内部に隠すことができる。
【００４１】
以上、本考案の実施例を図面により詳述したが、本考案の具体的な構成はこの実施例に限られるものではなく、本考案の要旨を逸脱しない範囲の設計の変更等があっても本考案に含まれる。
【産業上の利用可能性】
【００４２】
本考案によれば、ネクタイの大剣部にペン収納部を形成し、そのペン差し込み口を大剣部の正面に配置してなるネクタイ兼用ペンシースであって、前記ペン収納部がペン等の重みに対して大剣部を補強する補強材を備えた。これにより、実用性とファッション性を兼ね備えたネクタイ兼用ペンシースを提供することができる。
【符号の説明】
【００４３】
１  万年筆（ペン等）
１０  ネクタイ
１１  大剣部
２０  ペン収納部
２１  ペン差し込み口
３０  被覆材
４０  補強材
５０  補強材
６０  補強材
１００  ネクタイ兼用ペンシース
【図１】
0003188797.tif 000003
【図２】
0003188797.tif 000004
【図３】
0003188797.tif 000005